(57)【特許請求の範囲】
【請求項１】
海底に沈設されているアンカーと、該アンカーに連結されている係留索と、該係留索に連結されて該アンカーに係留され、海中に浮遊状態で設けられている魚礁体とを備える浮魚礁を、海中に配される一本の回収索を用いて引き揚げ、回収する浮魚礁の回収装置であって、
上記浮魚礁に向かう潮流のある海域で移動される単一の船と、
該船に曳航される一本の曳航用ロープと、
該曳航用ロープに取り外し可能に連結されて上記浮魚礁の上流海域に浮かべられ上記船に曳航されるフロート及び該フロートから海中に垂らされるフロートロープを有し、上記回収索の長さ方向一端側が該フロートロープに取り外し可能に連結される第１の回収索操り具と、
上記浮魚礁の上流海域に浮かべられるフロート及び該フロートから海中に垂らされるフロートロープを有し、上記回収索の長さ方向他端側が該フロートロープに取り外し可能に連結される第２の回収索操り具と、
上記浮魚礁の上流海域に浮かべられるフロート、該フロートから海中に垂らされるフロートロープ、該フロートロープと上記第２の回収索操り具の上記フロートロープとを連結する連結ロープ、並びに該連結ロープに設けられ、周囲の水流を受けて該連結ロープを牽引するシーアンカーを有し、該第２の回収索操り具の漂流を制限する牽引具と、
上記回収索の長さ方向両端部のうちの少なくとも一方の端部に形成され、他方の端部が挿通されて該回収索を環状形態とする輪とを備え、
上記第１の回収索操り具は上記船による曳航で移動され、かつ上記第２の回収索操り具は上記牽引具による牽引作用で移動されて、これら第１及び第２の回収索操り具が、上記回収索を、上記浮魚礁に接近可能に該浮魚礁の上流海域で、かつ海中で上記係留索と交差する向きに配し、
上記第１及び第２の回収索操り具が上記浮魚礁の下流海域に到達して上記係留索の周りに上記回収索が配されたとき、該第１及び第２の回収索操り具を介して上記船に引き揚げられる該回収索の一方の端部の上記輪に他方の端部が通されて、当該回収索が該係留索を包囲する環状形態に形成され、かつ該回収索の環状形態の径を狭めるために、該輪が該係留索に接近するように他方の端部が引かれて該回収索が該係留索に対し引き締められた状態で、該回収索が引き揚げられて該浮魚礁が該船に回収されることを特徴とする浮魚礁の回収装置。
【請求項２】
前記浮魚礁に接近可能に該浮魚礁の上流海域で、前記回収索が海中で前記係留索と交差する向きに配されたとき、前記第１の回収索操り具は、前記船による曳航で移動されることに代えて、前記曳航用ロープから取り外されて、該浮魚礁に向かう潮流で移動されることを特徴とする請求項１に記載の浮魚礁の回収装置。
【請求項３】
前記曳航用ロープ、前記フロートロープ及び前記連結ロープは、前記回収索よりも径が細く、軽量であることを特徴とする請求項１または２に記載の浮魚礁の回収装置。
【請求項４】
前記輪には、重りが設けられることを特徴とする請求項１〜３いずれかの項に記載の浮魚礁の回収装置。
【請求項５】
前記牽引具の前記フロートロープには、他の牽引具の連結ロープが連結されて、該牽引具が直列に複数配されることを特徴とする請求項１〜４いずれかの項に記載の浮魚礁の回収装置。
【請求項６】
海底に沈設されているアンカーと、該アンカーに連結されている係留索と、該係留索に連結されて該アンカーに係留され、海中に浮遊状態で設けられている魚礁体とを備える浮魚礁を、海中に配される一本の回収索を用いて引き揚げ、回収する浮魚礁の回収方法であって、
前記請求項１に記載の浮魚礁の回収装置を用い、
まず、上記浮魚礁の上流海域に、前記船、上記回収索、前記第１及び第２の回収索操り具、並びに前記牽引具を配し、
次いで、上記浮魚礁の上流海域から下流海域に向かう方向と交差する方向で、該浮魚礁に対して一方の側に上記第２の回収索操り具及び上記牽引具を配し、他方、当該交差する方向で、該浮魚礁に対し他方の側に上記船で曳航して上記第１の回収索操り具を配して、当該浮魚礁に接近可能に該浮魚礁の上流海域で、上記回収索を海中で上記係留索と交差する向きに配し、
次いで、上記浮魚礁の上流海域から下流海域に向けて、上記船を移動させると共に、上記牽引具を潮流で移動させて、上記第１及び第２の回収索操り具を該浮魚礁の下流海域に到達させ、上記係留索の周りに上記回収索を配し、
次いで、上記浮魚礁の下流海域で、上記第１及び第２の回収索操り具を介して上記船に引き揚げられる上記回収索の両端側から、これら第１及び第２の回収索操り具を取り外し、
次いで、上記回収索の一方の端部の前記輪に他方の端部を通して、該回収索を上記係留索を包囲する環状形態に形成した後、該回収索の環状形態の径を狭めるように、該係留索に対し該回収索を引き締めた状態とし、
その後、上記回収索を引き揚げて、上記係留索を含む上記浮魚礁を上記船に回収することを特徴とする浮魚礁の回収方法。
【請求項７】
海底に沈設されているアンカーと、該アンカーに連結されている係留索と、該係留索に連結されて該アンカーに係留され、海中に浮遊状態で設けられている魚礁体とを備える浮魚礁を、海中に配される一本の回収索を用いて引き揚げ、回収する浮魚礁の回収方法であって、
前記請求項２に記載の浮魚礁の回収装置を用い、
まず、上記浮魚礁の上流海域に、前記船、上記回収索、前記第１及び第２の回収索操り具、並びに前記牽引具を配し、
次いで、上記浮魚礁の上流海域から下流海域に向かう方向と交差する方向で、該浮魚礁に対して一方の側に上記第２の回収索操り具及び上記牽引具を配し、他方、当該交差する方向で、該浮魚礁に対し他方の側に上記船で曳航して上記第１の回収索操り具を配して、当該浮魚礁に接近可能に該浮魚礁の上流海域で、上記回収索を海中で上記係留索と交差する向きに配し、
次いで、上記第１の回収索操り具を、前記曳航用ロープから取り外して上記船から解除し、
次いで、上記浮魚礁の上流海域から下流海域に向けて、上記第１の回収索操り具及び上記牽引具が連結された上記第２の回収索操り具を潮流で移動させて、これら第１及び第２の回収索操り具を該浮魚礁の下流海域に到達させ、上記係留索の周りに上記回収索を配し、
次いで、上記浮魚礁の下流海域に予め移動させた上記船に上記第１及び第２の回収索操り具を介して引き揚げられる上記回収索の両端側から、これら第１及び第２の回収索操り具を取り外し、
次いで、上記回収索の一方の端部の前記輪に他方の端部を通して、該回収索を上記係留索を包囲する環状形態に形成した後、該回収索の環状形態の径を狭めるように、該係留索に対し該回収索を引き締めた状態とし、
その後、該回収索を引き揚げて、上記係留索を含む上記浮魚礁を上記船に回収することを特徴とする浮魚礁の回収方法。
【発明の詳細な説明】
【技術分野】
【０００１】
本発明は、回収作業コストが低廉で、短時間で効率的に回収作業を実施可能であると共に、作業内容の簡易化かつ重量物である回収索の取り扱いの作業軽減が可能であり、回収作業性の向上や安全性の向上を確保でき、また、回収作業海域も狭めることができ、さらに、係留索や回収索に破断が生じることも避けることが可能な浮魚礁の回収装置及び回収方法に関する。
【背景技術】
【０００２】
海中の中層域に浮遊状態で係留されている中層浮魚礁は、約１０年程度の耐用年数が経過すると、環境問題等の理由から、海上へ引き揚げて回収される。
【０００３】
浮魚礁の回収方法として、特許文献１が知られている。特許文献１の「中層浮魚礁の回収方法」は概括的には、海面下に浮遊状態に設けられた魚礁本体と、海底に沈設されたシンカーと、前記魚礁本体を前記シンカーに係留する係留索とを備えた中層浮魚礁を回収する方法であって、複数の作業船に回収索を掛け渡しつつ該回収索の中央部を海中に吊り下げ、前記複数の作業船のうちの少なくともいずれかの作業船を移動させて、回収索の中央部を前記係留索に掛けて回収索を係留索に取り付け、前記回収索を作業船に引き上げて中層浮魚礁を回収するようにしている。
【０００４】
前記複数の作業船を並走させ、該複数の作業船に掛け渡しつつ海中に吊り下げた回収索の中央部を中層浮魚礁の係留索に引っ掛けて回収索を係留索に取り付ける場合もある。また、回収索と係留索の固定部分には、金属製の束ね部材や接触用金具を用いるようにしている。
【０００５】
回収作業では、魚礁本体や係留索、シンカー等から構成される浮魚礁全体を一括して引き揚げることが可能な強度を有する回収索が使用されている。回収索は、ＦＲＰ製などの魚礁本体が引き揚げ時に破損され易いので、係留索に取り付けられるのが一般的である。
【先行技術文献】
【特許文献】
【０００６】
【特許文献１】特許第５２５５０７８号公報
【発明の概要】
【発明が解決しようとする課題】
【０００７】
特許文献１では、複数の作業船を使用するため、燃料費が嵩むと共に、操船等の作業人員が多く必要で、回収作業に多くのコストがかかってしまう。いずれかの作業船を移動させて回収索を係留索に掛けて取り付けるようにしているが、回収索を複数の作業船に掛け渡して海中に吊り下げている関係上、移動する作業船で回収索を引くと、係留索に掛けるための設定深度から回収索が持ち上がってしまって、回収索を係留索に適切に掛けることができない。これを避けるためには、回収索をゆっくりと引かなければならず、多大な作業時間を要することになる。
【０００８】
回収索を掛け渡した複数の作業船を並走させる場合には、作業船同士の距離を適切に保って、ほぼ同じ速度で移動させる必要があって、そのためには、作業船の安全な航行のために回収作業海域を広範に確保し、かつ無線等で連絡を取り合いながら作業を進めなければならず、海上交通の妨げになりやすいと同時に、作業内容が煩雑で手間を要する。
【０００９】
回収索は、係留索に取り付けられて、魚礁本体及びシンカーを含めた中層浮魚礁全体を一気に引き揚げるのに用いられる。従って、回収索は、太径で剛強な重量物である。
【００１０】
特許文献１では、このような重量物である回収索を、海中に吊り下げた状態で、複数の作業船に掛け渡すようにしている。そのため、作業船を移動するときに、回収索から受ける抵抗が大きく、操船性に劣る。また、回収索を、複数の作業船に掛け渡しつつ海中に吊り下げる関係上、回収索の長さが長大で、船に搭載されているウィンチドラムへの巻き付け量が多大となり、作業性が悪いと共に、回収に長時間を要する。
【００１１】
複数の作業船に回収索を掛け渡す作業は、現場海域で行われるため、作業安全性に特段の注意が必要であり、特に、天候の変化に対して対応が遅れると、危険が伴うものである。さらに、係留索に対する回収索の取り付け完了後では、複数の作業船同士が接近して回収作業を実施するため、操船やその他の作業を慎重に行う必要があって、煩雑なものである。
【００１２】
さらに、係留索と回収索の巻き付け部分を固定するために束ね部材や接触用金具などの金物を用いている。これら金具に加わる負荷が係留索や回収索に加わると、これら係留索等が金具によって破断してしまうおそれもある。
【００１３】
本発明は上記従来の課題に鑑みて創案されたものであって、回収作業コストが低廉で、短時間で効率的に回収作業を実施可能であると共に、作業内容の簡易化かつ重量物である回収索の取り扱いの作業軽減が可能であり、回収作業性の向上や安全性の向上を確保でき、また、回収作業海域も狭めることができ、さらに、係留索や回収索に破断が生じることも避けることが可能な浮魚礁の回収装置及び回収方法を提供することを目的とする。
【課題を解決するための手段】
【００１４】
本発明にかかる浮魚礁の回収装置は、海底に沈設されているアンカーと、該アンカーに連結されている係留索と、該係留索に連結されて該アンカーに係留され、海中に浮遊状態で設けられている魚礁体とを備える浮魚礁を、海中に配される一本の回収索を用いて引き揚げ、回収する浮魚礁の回収装置であって；上記浮魚礁に向かう潮流のある海域で移動される単一の船と；該船に曳航される一本の曳航用ロープと；該曳航用ロープに取り外し可能に連結されて上記浮魚礁の上流海域に浮かべられ上記船に曳航されるフロート及び該フロートから海中に垂らされるフロートロープを有し、上記回収索の長さ方向一端側が該フロートロープに取り外し可能に連結される第１の回収索操り具と；上記浮魚礁の上流海域に浮かべられるフロート及び該フロートから海中に垂らされるフロートロープを有し、上記回収索の長さ方向他端側が該フロートロープに取り外し可能に連結される第２の回収索操り具と；上記浮魚礁の上流海域に浮かべられるフロート、該フロートから海中に垂らされるフロートロープ、該フロートロープと上記第２の回収索操り具の上記フロートロープとを連結する連結ロープ、並びに該連結ロープに設けられ、周囲の水流を受けて該連結ロープを牽引するシーアンカーを有し、該第２の回収索操り具の漂流を制限する牽引具と；上記回収索の長さ方向両端部のうちの少なくとも一方の端部に形成され、他方の端部が挿通されて該回収索を環状形態とする輪とを備え；上記第１の回収索操り具は上記船による曳航で移動され、かつ上記第２の回収索操り具は上記牽引具による牽引作用で移動されて、これら第１及び第２の回収索操り具が、上記回収索を、上記浮魚礁に接近可能に該浮魚礁の上流海域で、かつ海中で上記係留索と交差する向きに配し；上記第１及び第２の回収索操り具が上記浮魚礁の下流海域に到達して上記係留索の周りに上記回収索が配されたとき、該第１及び第２の回収索操り具を介して上記船に引き揚げられる該回収索の一方の端部の上記輪に他方の端部が通されて、当該回収索が該係留索を包囲する環状形態に形成され、かつ該回収索の環状形態の径を狭めるために、該輪が該係留索に接近するように他方の端部が引かれて該回収索が該係留索に対し引き締められた状態で、該回収索が引き揚げられて該浮魚礁が該船に回収されることを特徴とする。
【００１５】
前記浮魚礁に接近可能に該浮魚礁の上流海域で、前記回収索が海中で前記係留索と交差する向きに配されたとき、前記第１の回収索操り具は、前記船による曳航で移動されることに代えて、前記曳航用ロープから取り外されて、該浮魚礁に向かう潮流で移動されることを特徴とする。
【００１６】
前記曳航用ロープ、前記フロートロープ及び前記連結ロープは、前記回収索よりも径が細く、軽量であることを特徴とする。
【００１７】
前記輪には、重りが設けられることを特徴とする。
【００１８】
前記牽引具の前記フロートロープには、他の牽引具の連結ロープが連結されて、該牽引具が直列に複数配されることを特徴とする。
【００１９】
本発明にかかる浮魚礁の回収方法は、海底に沈設されているアンカーと、該アンカーに連結されている係留索と、該係留索に連結されて該アンカーに係留され、海中に浮遊状態で設けられている魚礁体とを備える浮魚礁を、海中に配される一本の回収索を用いて引き揚げ、回収する浮魚礁の回収方法であって；上記浮魚礁の回収装置を用い；まず、上記浮魚礁の上流海域に、前記船、上記回収索、前記第１及び第２の回収索操り具、並びに前記牽引具を配し；次いで、上記浮魚礁の上流海域から下流海域に向かう方向と交差する方向で、該浮魚礁に対して一方の側に上記第２の回収索操り具及び上記牽引具を配し、他方、当該交差する方向で、該浮魚礁に対し他方の側に上記船で曳航して上記第１の回収索操り具を配して、当該浮魚礁に接近可能に該浮魚礁の上流海域で、上記回収索を海中で上記係留索と交差する向きに配し；次いで、上記浮魚礁の上流海域から下流海域に向けて、上記船を移動させると共に、上記牽引具を潮流で移動させて、上記第１及び第２の回収索操り具を該浮魚礁の下流海域に到達させ、上記係留索の周りに上記回収索を配し；次いで、上記浮魚礁の下流海域で、上記第１及び第２の回収索操り具を介して上記船に引き揚げられる上記回収索の両端側から、これら第１及び第２の回収索操り具を取り外し；次いで、上記回収索の一方の端部の前記輪に他方の端部を通して、該回収索を上記係留索を包囲する環状形態に形成した後、該回収索の環状形態の径を狭めるように、該係留索に対し該回収索を引き締めた状態とし；その後、上記回収索を引き揚げて、上記係留索を含む上記浮魚礁を上記船に回収することを特徴とする。
【００２０】
本発明にかかる浮魚礁の回収方法は、海底に沈設されているアンカーと、該アンカーに連結されている係留索と、該係留索に連結されて該アンカーに係留され、海中に浮遊状態で設けられている魚礁体とを備える浮魚礁を、海中に配される一本の回収索を用いて引き揚げ、回収する浮魚礁の回収方法であって；上記浮魚礁の回収装置を用い；まず、上記浮魚礁の上流海域に、前記船、上記回収索、前記第１及び第２の回収索操り具、並びに前記牽引具を配し；次いで、上記浮魚礁の上流海域から下流海域に向かう方向と交差する方向で、該浮魚礁に対して一方の側に上記第２の回収索操り具及び上記牽引具を配し、他方、当該交差する方向で、該浮魚礁に対し他方の側に上記船で曳航して上記第１の回収索操り具を配して、当該浮魚礁に接近可能に該浮魚礁の上流海域で、上記回収索を海中で上記係留索と交差する向きに配し；次いで、上記第１の回収索操り具を、前記曳航用ロープから取り外して上記船から解除し；次いで、上記浮魚礁の上流海域から下流海域に向けて、上記第１の回収索操り具及び上記牽引具が連結された上記第２の回収索操り具を潮流で移動させて、これら第１及び第２の回収索操り具を該浮魚礁の下流海域に到達させ、上記係留索の周りに上記回収索を配し；次いで、上記浮魚礁の下流海域に予め移動させた上記船に上記第１及び第２の回収索操り具を介して引き揚げられる上記回収索の両端側から、これら第１及び第２の回収索操り具を取り外し；次いで、上記回収索の一方の端部の前記輪に他方の端部を通して、該回収索を上記係留索を包囲する環状形態に形成した後、該回収索の環状形態の径を狭めるように、該係留索に対し該回収索を引き締めた状態とし；その後、該回収索を引き揚げて、上記係留索を含む上記浮魚礁を上記船に回収することを特徴とする。
【発明の効果】
【００２１】
本発明にかかる浮魚礁の回収装置及び回収方法にあっては、回収作業コストが低廉で、短時間で効率的に回収作業を実施できると共に、作業内容の簡易化かつ重量物である回収索の取り扱いの作業軽減が達成することができ、回収作業性の向上や安全性の向上を確保でき、また、回収作業海域も狭めることができ、さらに、係留索や回収索に破断が生じることも避けることができる。
【図面の簡単な説明】
【００２２】
【図１】本発明に係る浮魚礁の回収装置及び回収方法の回収対象である浮魚礁の海中における設置状態を示す側面図である。
【図２】本発明に係る浮魚礁の回収装置及び回収方法の好適な一実施形態における回収索の配設状態を説明する説明図である。
【図３】図２に示した回収索の長さ方向両端部のうちの一方の端部に備えられる輪を示す図である。
【図４】回収索が浮魚礁に接近する様子を示す平面図である。
【図５】浮魚礁の周りに配された回収索の両端側が船に引き揚げられた様子を示す平面図である。
【図６】回収索が係留索を包囲する環状形態に形成された様子を示す平面図である。
【図７】回収索を環状形態にする取り扱いを説明する説明図である。
【図８】係留索を回収索で引き締めた状態を説明する説明図である。
【図９】回収索を係留索に対し引き締めるために、輪を係留索に接近させる様子を説明する説明図である。
【図１０】係留索に対する回収索の引き締め状態を確認するための確認作業を説明する説明図である。
【図１１】本発明に係る浮魚礁の回収装置及び回収方法の他の実施形態における、回収索を浮魚礁の上流海域に配した様子を示す平面図である。
【図１２】他の実施形態で、浮魚礁に接近していく回収索が浮魚礁の下流海域に到達した様子を示す平面図である。
【図１３】他の実施形態で、浮魚礁の周りに配された回収索の両端側が船に引き揚げられた様子を示す平面図である。
【発明を実施するための形態】
【００２３】
以下に、本発明にかかる浮魚礁の回収装置及び回収方法の好適な実施形態を、添付図面を参照して詳細に説明する。図１は、回収対象である浮魚礁の海中における設置状態を示す側面図、図２は、本実施形態に係る浮魚礁の回収装置及び回収方法における回収索の配設状態を説明する説明図、図３は、図２に示した回収索の長さ方向両端部のうちの一方の端部に備えられる輪を示す図、図４は、回収索が浮魚礁に接近する様子を示す平面図、図５は、浮魚礁の周りに配された回収索の両端側が船に引き揚げられた様子を示す平面図、図６は、回収索が係留索を包囲する環状形態に形成された様子を示す平面図、図７は、回収索を環状形態にする取り扱いを説明する説明図、図８は、係留索を回収索で引き締めた状態を説明する説明図、図９は、回収索を係留索に対し引き締めるために、輪を係留索に接近させる様子を説明する説明図、図１０は、係留索に対する回収索の引き締め状態を確認するための確認作業を説明する説明図である。
【００２４】
図１に示すように、浮魚礁１は、海底２に設置されるアンカー３と、アンカー３に一端（下端）が連結される係留索４と、係留索４の他端（上端）が連結されてアンカー３に係留される魚礁体５とから構成される。魚礁体５は例えば、ＦＲＰ製で、中空籠状に形成される。
【００２５】
係留索４は詳細には、下部主係留索４ａと、上部主係留索４ｂと、複数本の副係留索４ｃとが下方から上方に向けて順次つながれて構成される。下部主係留索４ａの下端がアンカー３に連結され、上部主係留索４ｂの上端から複数に分かれて延出される副係留索４ｃの上端が、魚礁体５の下端周縁に適宜に連結される。
【００２６】
浮魚礁１は、係留索４を介してアンカー３に魚礁体５を連結して組み立てた状態で、作業船から海中へ投下され、海底２に沈設されたアンカー３に係留索４を介して係留される魚礁体５が海中の中層域に浮遊状態で設けられる。
【００２７】
以下、本実施形態に係る浮魚礁の回収方法の手順を説明しつつ、それに用いる浮魚礁の回収装置について説明する。本実施形態に係る浮魚礁の回収装置は主に、単一の船６（図４等参照）と、一本の回収索７及び回収索配設具８とから構成される。浮魚礁１は、海中に配される一本の回収索７を用いて引き揚げられ、回収される。
【００２８】
回収索配設具８は図２及び図４に示すように、船６に一端が連結されて曳航される一本の曳航用ロープ９と、曳航用ロープ９に連結される第１の回収索操り具１０と、第１の回収索操り具１０と連係して回収索７を操る第２の回収索操り具１１と、第２の回収索操り具１１を操る牽引具１２とから構成される。
【００２９】
第１の回収索操り具１０は、フロートｆ１と、フロートｆ１に一端（上端）が連結されて海中に垂らされるフロートロープｒ１から構成される。フロートロープｒ１は、海中に沈められる比重で形成される。あるいは、フロートロープｒ１の他端（下端）側に、当該フロートロープｒ１を安定して海中に垂らすための重りｗ１を設けるようにしても良い。フロートｆ１は、曳航用ロープ９の他端に取り外し可能に連結される。
【００３０】
第１の回収索操り具１０は、潮流Ｔが浮魚礁１側に向かって流れる海域Ａ（以下、海域Ａを「上流海域Ａ」といい、逆に、潮流Ｔが浮魚礁１側から離れる方向に流れる海域Ｂを「下流海域Ｂ」という。）に浮かべられ、曳航用ロープ９を介して船６に曳航される。第１の回収索操り具１０のフロートロープｒ１の他端（下端）側には、回収索７の長さ方向一端側が取り外し可能に連結される。
【００３１】
第２の回収索操り具１１は、第１の回収索操り具１０と同様に、フロートｆ２と、フロートｆ２に一端（上端）が連結されて海中に垂らされるフロートロープｒ２から構成される。フロートロープｒ２は、海中に沈められる比重で形成される。あるいは、フロートロープｒ２の他端（下端）側に、当該フロートロープｒ２を安定して海中に垂らすための重りｗ２を設けるようにしても良い。
【００３２】
第２の回収索操り具１１も、第１の回収索操り具１０と同様に、浮魚礁１の上流海域Ａに浮かべられる。第２の回収索操り具１１のフロートロープｒ２の他端（下端）側には、回収索７の長さ方向他端側が取り外し可能に連結される。
【００３３】
第１及び第２の回収索操り具１０，１１の間に渡される回収索７が海中に配される深度は、浮魚礁１の係留索４が配されている深度とされる。
【００３４】
牽引具１２は、第２の回収索操り具１１に隣接させて、一連につなげて配される。牽引具１２は、フロートｆ３と、フロートｆ３に一端（上端）が連結されて海中に垂らされるフロートロープｒ３と、このフロートロープｒ３と第２の回収索操り具１１のフロートロープｒ２に長さ方向両端が連結されて、これらフロートロープｒ２，ｒ３同士を連結する連結ロープｒ４と、連結ロープｒ４に設けられるシーアンカー１２ａとから構成される。
【００３５】
フロートロープｒ３及び連結ロープｒ４は、海中に沈められる比重で形成される。フロートロープｒ３の他端（下端）側に、当該フロートロープｒ３を安定して海中に垂らすための重りｗ３を設けるようにしても良い。従って、連結ロープｒ４及びシーアンカー１２ａは海中に配される。
【００３６】
シーアンカー１２ａは、海水の抵抗を受けて錨のような役目を果たすもので、周囲の水流を受けて連結ロープｒ４を牽引する。具体的には、浮魚礁１に向かって流れる潮流Ｔを受けて、その潮流Ｔの向きに連結ロープｒ４を牽引したり、船６による曳航に対し周囲の水流等の抵抗を受けて、連結ロープｒ４を制動する向きに牽引する。シーアンカー１２ａの当該機能により、牽引具１２は、第２の回収索操り具１１の漂流を制限する。
【００３７】
牽引具１２も、第１及び第２の回収索操り具１０，１１と同様に、浮魚礁１の上流海域Ａに浮かべられる。
【００３８】
以上説明した曳航用ロープ９やフロートロープｒ１〜ｒ３、連結ロープｒ４は、回収索７を海中に配する際に操るだけのものなので、浮魚礁１の引き揚げに用いる回収索７よりも径が細く、かつ軽量で、取り扱いが容易なものが用いられる。例えば、回収索７は、φ４０ｍｍで、引張強度が２００ｋＮ程度であるのに対し、これらロープｒ１〜ｒ４は、φ１０ｍｍで、引張強度が１５ｋＮ程度のものが用いられる。
【００３９】
他方、回収索７には図３に示すように、長さ方向両端部のうちの少なくともいずれか一方の端部７ａに、他方の端部７ｂを挿通することによって一本の回収索７を環状形態にし得る輪１３が形成される。図示例にあっては、輪１３は、回収索７の先端部７ｃを曲げ返し、この先端部７ｃを回収索７自体に結束体１３ａで結束することにより形成されている。なお、この結束体１３ａを用いて輪１３を形成する場合には、後述する回収索７を係留索４に引き締めて結合状態にさせた際、その結合部分に結束体１３ａが位置しないよう輪１３を大きく形成する。
【００４０】
輪１３の形成は、一般周知のどのような方法を用いてもよく、また、回収索７を構成する撚り線同士が編み込まれて、予め輪１３が形成されたものを用いてもよいことはもちろんである。回収索７の他方の端部７ｂにも、輪が形成されていてもよい。
【００４１】
回収作業準備として、上述した回収索配設具８と回収索７の組立体が、陸上もしくは現場海域の船６上で作製される。組立体を搭載した単一の船６は、回収作業の現場海域へ航行し、浮魚礁１に向かう潮流Ｔのある海域で回収作業のために移動される。
【００４２】
回収作業ではまず、図２及び図４に示すように、現場海域の潮流Ｔを調査し、浮魚礁１の上流海域Ａに、船６、第１及び第２の回収索操り具１０，１１、並びに牽引具１２等を配する。すなわち、船６を上流海域Ａに移動し、組立体を海に投下する。組立体を投下する際には、船６で曳航することによって、後述する回収索７と係留索４の位置関係を確保するために、浮魚礁１の上流海域Ａから下流海域Ｂに向かう潮流Ｔの流れ方向と交差する方向について、浮魚礁１に対しその一方の側に寄せて、一括して組立体を投下する。
【００４３】
組立体を海に投下すると、第１及び第２の回収索操り具１０，１１と牽引具１２それぞれのフロートロープｒ１〜ｒ３が海中に沈み、回収索７や連結ロープｒ４、シーアンカー１２ａが海中に配される。
【００４４】
次いで、図４に示すように、浮魚礁１の上流海域Ａで船６を移動させる。船６の移動は、浮魚礁１の上流海域Ａから下流海域Ｂに向かう方向（潮流Ｔの方向）と交差する方向で、組立体を投下した浮魚礁１に対する一方の側から、当該浮魚礁１に対して他方の側（反対側）に達するように行われる。この船６の移動により、第２の回収索操り具１１及び牽引具１２が一方の側に残され、曳航用ロープ９で曳航される第１の回収索操り具１０が他方の側に配される。
【００４５】
第２の回収索操り具１１は、船６の曳航に抵抗するシーアンカー１２ａを有する牽引具１２の牽引作用（制動作用）を受けつつ移動されて、一方の側に配される。すなわち、第１の回収索操り具１０は船６による曳航で移動され、かつ第２の回収索操り具１１は牽引具１２による牽引作用で移動され、これにより、これら第１及び第２の回収索操り具１０，１１は、浮魚礁１に接近可能に当該浮魚礁１の上流海域Ａで、回収索７を海中で係留索４と交差する向きに配する。
【００４６】
なお、図４中、１４は、回収作業に直接関わらない、必要に応じて用いられる測量船である。測量船１４に代えて、目印となるブイを配するようにしてもよい。
【００４７】
その後、第１の回収索操り具１０は、浮魚礁１の上流海域Ａから下流海域Ｂに向けて移動される船６に曳航されて、同時に、第２の回収索操り具１１及び牽引具１２は、潮流Ｔに乗って移動されて、浮魚礁１に接近していき、回収索７も係留索４に向かって近づいていく。停船により、船６を潮流Ｔに乗って移動させるようにしてもよい。
【００４８】
このとき、牽引具１２のシーアンカー１２ａは、潮流Ｔを受けて、第２の回収索操り具１１を下流海域Ｂへ向かって牽引する役割を果たす。これにより、第１及び第２の回収索操り具１０，１１は、浮魚礁１よりも下流側の下流海域Ｂに到達し、その結果、係留索の周りに回収索７が配される。
【００４９】
次いで、図５に示すように、船６に回収索７の両端側を引き揚げる。この引き揚げに際しては、第１の回収索操り具１０側については、曳航用ロープ９を利用して、回収索７の長さ方向一端側の引き揚げを行う。
【００５０】
他方、第２の回収索操り具１１側については、鈎棒付きのロープなどを利用して、海上の第２の回収索操り具１１自体もしくは牽引具１２を引っ掛けて引き揚げることで、回収索７の長さ方向他端側の引き揚げを行う。そして、船６上で、回収索７の両端側から、第１及び第２の回収索操り具１０，１１を取り外す。
【００５１】
次いで、図６及び図７に示すように、回収索７の一方の端部７ａの輪１３に、他方の端部７ｂを通す。これにより、回収索７は、係留索４をその周りから包囲する閉鎖環状形態に形成される。輪１３に通された他方の端部７ｂを引いて手繰り寄せ、引き締めていくと、回収索７の閉鎖環状形態の径が狭められていって、図８に示すように係留索４に対し回収索７を引き締めた状態が得られ、回収索７で係留索４を引くことが可能となる。
【００５２】
回収索７で係留索４を引き締める操作を船６上から行うには、輪１３もしくはその周辺に、輪１３を沈降させるための重り１５を設け、図９に示すように、重り１５が付けられた輪１３を備える回収索７の一方の端部７ａを海中に投下し、かつ回収索７の他方の端部７ｂを船６上で手繰り寄せ、輪１３が係留索４に接近するように、回収索７の当該他方の端部７ｂを引き続ければよい。回収索７の当該引き締め操作により、回収索７と係留索４とは、浮魚礁１の引き揚げが可能な結合状態とされる。
【００５３】
その後、図１０に示すように、必要に応じて、係留索４に対する回収索７の引き締め状態を確認するための確認作業を行う。この確認作業は、回収索７をガイドとして、ＲＯＶ（remotely operated vehicle ）１６を操作して実施することができる。
【００５４】
その後は、船６上の機材を用いて、回収索７を引き揚げる。この引き揚げ操作により、係留索４を含む浮魚礁１全体が船６に回収される。
【００５５】
本実施形態に係る浮魚礁の回収装置及び回収方法にあっては、単一の船６で回収作業を実施・完了することができるので、背景技術に比べて、燃料費を低減できると共に、操船等の作業人員を削減することができ、回収作業に要するコストを低減することができる。
【００５６】
回収索７の長さ方向他端側が連結される第２の回収索操り具１１を、シーアンカー１２ａを有する牽引具１２に、海中で連結ロープｒ４を介して連結するので、船６の移動により曳航用ロープ９を介して第１の回収索操り具１０を曳航しても、回収索７が設定深度から持ち上がることを抑制でき、背景技術に比して、短い時間で回収索７を係留索４に対して配する作業を完了することができる。
【００５７】
また、回収索７は、浮遊状態で融通の利く、第１及び第２の回収索操り具１０，１１のフロートｆ１，ｆ２間に配されるので、背景技術のように作業船間に掛け渡す場合に比して、適切に設定深度に維持することができる。
【００５８】
単一の船６を操船して回収作業を実施できるので、背景技術のように複数の作業船を操船するのに比して、広範な回収作業海域は不要であると共に、他の船との連絡・連係も不要であって、海上交通の妨げにならず、作業内容も簡便化することができる。
【００５９】
回収索７については、必要な揚重能力のものを採用する一方で、それ以外のフロートロープｒ１〜ｒ３や連結ロープｒ４、曳航用ロープ９は、回収索７よりも径が細く、軽量であるので、船６を移動する際の負荷が小さく、操船性を向上できる。回収索７は、単一の船６で操作されるロープ等を主体とした回収索配設具８の採用により、浮魚礁１の係留索４の深度において、その係留索４に折り返される程度の最小限の短い長さでよく、そのため、少ない巻き上げ量で作業性良好に短時間で回収作業を完了することができる。
【００６０】
単一の船６による作業であって、背景技術のように、複数の作業船に回収索を掛け渡す作業も無いので、安全性が高く、また、悪天候への変化に対しても、曳航用ロープ９の取り外しだけで退避行動に移ることができ、危急対策上も好ましい。また、係留索４に対する回収索７の引き締め完了後も、単一の船６による回収作業なので、複数の作業船同士が接近してしまう背景技術に比して、操船やその他の作業を円滑にかつ容易に行うことができる。
【００６１】
係留索４と回収索７とを引き締めによって結合するようにしていて、金物を一切使用しないので、回収索７等が金具によって破断するなどの事態が発生することを確実に防止できる。
【００６２】
フロートロープｒ１〜ｒ３の下端側に重りｗ１〜ｗ３を設けるので、フロートロープｒ１〜ｒ３を安定的に海中に下ろして配することができ、回収索７の設置深度を適切に確保することができる。
【００６３】
輪１３に重り１５を設けるので、回収索７の途中で輪１３が引っ掛かってしまうのを防ぐことができるなど、海中の係留索４位置に輪１３を適切に送ることができ、引き締め操作による索４，７同士の結合を確実に行うことができる。
【００６４】
以上のように、本実施形態に係る浮魚礁の回収装置及び回収方法は、回収作業コストが低廉で、短時間で効率的に回収作業を実施できると共に、作業内容の簡易化かつ重量物である回収索７の取り扱いの作業軽減を達成でき、回収作業性の向上や安全性の向上を確保できる上に、回収作業海域も狭めることができ、さらに、係留索４や回収索７に破断が生じることも避けることができるという優れた作用効果を奏する。
【００６５】
図１１〜図１３には、本発明に係る浮魚礁の回収装置及び回収方法の他の実施形態が示されている。図１１は、回収索を浮魚礁の上流海域に配した様子を示す平面図、図１２は、浮魚礁に接近していく回収索が浮魚礁の下流海域に到達した様子を示す平面図、図１３は、浮魚礁の周りに配された回収索の両端側が船に引き揚げられた様子を示す平面図である。
【００６６】
他の実施形態は、図１１に示すように、船６の移動により、曳航用ロープ９を介して、第１の回収索操り具１０を曳航することにより、浮魚礁１に接近可能に浮魚礁１の上流海域Ａで、回収索７が海中で係留索４と交差する向きに配されたとき、上記実施形態において第１の回収索操り具１０が、船６による曳航で浮魚礁１の下流海域Ｂに移動されることに代えて、図１２に示すように、当該第１の回収索操り具１０が曳航用ロープ９から取り外され船６から解除されて、浮魚礁１に向かう潮流Ｔで移動されるようになっている。
【００６７】
このようにすることで、第１の回収索操り具１０及び牽引具１２が連結された第２の回収索操り具１１は潮流Ｔで、浮魚礁１の上流海域Ａから下流海域Ｂに向けて移動される。そして、これら第１及び第２の回収索操り具１０，１１が浮魚礁１の下流海域Ｂに到達することで、係留索４の周りに回収索７が配される。この際、船６は、予め浮魚礁１の下流海域Ｂに移動させておく。
【００６８】
次いで、浮魚礁１の下流海域Ｂに予め移動させた船６に、第１及び第２の回収索操り具１０，１１を介して、回収索７の両端側を引き揚げる。この引き揚げは、上述したように、鈎棒付きのロープなどを利用して行われる。その後、引き揚げた回収索７の両端側から、第１及び第２の回収索操り具１０，１１を取り外し、さらに、上記実施形態の図６及び図７で示したように、回収索７の一方の端部７ａの輪１３に、他方の端部７ｂを通して、その後の回収作業を続行する。
【００６９】
このような他の実施形態であっても、上記実施形態と同様の作用効果を奏することはもちろんである。他の実施形態では、第１の回収索操り具１０を船６から解除して潮流Ｔで移動させるため、作業現場海域の潮流Ｔの観測が重要となる一方で、操船を簡便化することができる。
【００７０】
上記いずれの実施形態にあっても、牽引具１２が一つの場合について説明したが、牽引具１２のフロートロープｒ３に、他の牽引具１２の連結ロープｒ４を連結するようにして、牽引具１２を直列に複数配するようにしてもよい。このようにすれば、第２の回収索操り具１１の漂流制限を調整できて、船６による曳航に対する抵抗作用や潮流Ｔで移動させる速度等を好ましく調節することができる。
【符号の説明】
【００７１】
１  浮魚礁
２  海底
３  アンカー
４  係留索
５  魚礁体
６  単一の船
７  一本の回収索
７ａ  回収索の一方の端部
７ｂ  回収索の他方の端部
９  曳航用ロープ
１０  第１の回収索操り具
１１  第２の回収索操り具
１２  牽引具
１２ａ  シーアンカー
１３  輪
１５  重り
Ａ  浮魚礁の上流海域
Ｂ  浮魚礁の下流海域
ｆ１〜ｆ３  フロート
ｒ１〜ｒ３  フロートロープ
ｒ４  連結ロープ
Ｔ  潮流
ｗ１〜ｗ３  フロートロープの重り
【図１】
0006406665.tif 000002
【図２】
0006406665.tif 000003
【図３】
0006406665.tif 000004
【図４】
0006406665.tif 000005
【図５】
0006406665.tif 000006
【図６】
0006406665.tif 000007
【図７】
0006406665.tif 000008
【図８】
0006406665.tif 000009
【図９】
0006406665.tif 000010
【図１０】
0006406665.tif 000011
【図１１】
0006406665.tif 000012
【図１２】
0006406665.tif 000013
【図１３】
0006406665.tif 000014